(57)【要約】【課題】釣り用リールを海水による塩害から守ると共に、スプールやスプールに巻かれた釣り糸を衝撃や紫外線などの外部刺激から保護する着脱が容易であるリールカバーを提供する。【解決手段】本考案のリールカバーは弾性かつ撥水性を有する合成樹脂を使用した。開閉口ＫにマジックテープＬを１箇所から数箇所に装備しているため、釣り糸を装着したまま、本考案のカバーを容易に着脱できると同時に、スプールを固定できる。【選択図】　　図２
0003098574.tif 000002
【実用新案登録請求の範囲】
【請求項１】
釣り用リールのスプール部を被覆する弾性かつ撥水性を有する合成樹脂で出来たリールカバー
【請求項２】
釣り用リールのスプール部をマジックテープで留めて固定する請求項１のリールカバー
【考案の詳細な説明】
【０００１】
【考案の属する技術分野】
本考案は、釣り用リールのスプール部を被覆する釣り用リールのスプール部と、スプールに巻かれた釣り糸のプロテクターである。海水による塩害や、移動時又は保管時の衝撃、紫外線からデリケートなスプールと釣り糸を守る。
【０００２】
【従来の技術】
釣り用リールは塩害に弱く、海水が入り込んでしまうとリールの回転などに不具合が生じる。海水は、スプールＥと回転枠組みＤから入りやすく、入り込んでしまった海水により、内部部品が錆びるなどの塩害がおこる。また、リールを裸のまま持ち運びをすると、破損の原因となりやすい。
【０００３】
釣り糸は、釣果を大きく左右する存在である。しかし、船や自動車や徒歩などでの移動時の衝撃や保管時の紫外線などの外部刺激は、釣り糸を傷めてしまう要因になっていた。また、スプールに巻かれた釣り糸は、釣りをする度に新しいものと交換することは少なく、何度となく使用するものであるので大切にする必要があった。
【０００４】
【考案が解決しようとする課題】
海での釣りにおいて、船での移動時に釣り用リールに海水がかぶるのは避けられない。特に、ＤとＥの間から海水が内部にまで入り込むおそれがあるので、それを防止するためにスプールと本考案のリールカバーとの密閉性を高め、かつ着脱容易であることを目的とした。
【０００５】
また、釣り用リールのスプール部は、とてもデリケートな部分であるので、移動時や保管時に起こりうる衝撃から守ろうとするものである。
【０００６】
釣果を大きく左右する釣り糸は、スプールに巻かれた状態で何度も使用、保管されるものであるので、それを衝撃や紫外線などの外部刺激から保護しようとするものである。
【０００７】
【課題を解決するための手段】
上記目的を達成するために、本考案のリールカバーは弾性かつ撥水性を有する合成樹脂で出来ており、移動時の衝撃から、また海水をはじいてスプールやそれに巻かれた釣り糸を保護する。開閉口ＫにマジックテープＫを１箇所から数箇所に装備しているため、釣り糸を装着したまま、本考案のカバーを容易に着脱できると同時に固定でき、本考案のリールカバーとスプールとの密着性を高めることができる。
【０００８】
【考案の実施の形態】
本考案のリールカバーを図面について説明すると、挿入口ＩからＤ部を含めたスプール全体Ｅまで、開閉口Ｊを調整しながら被覆させ、スプールの大きさや糸を巻いた状態の大きさに合わせて、開閉口ＪをマジックテープＫで固定する構造とした。
【０００９】
【考案の効果】
本考案のリールカバーは、海での釣りにおいて避けられない海水によるリール本体の塩害を、海水がかぶってしまうことから守ってくれるため、リールのメンテナンスが楽になり、快適に長い年月に渡って使用することが可能になる。
また、移動中に起こりうる、ぶつかり合いなどの衝撃から、スプールやスプールに巻かれた釣り糸を守ってくれるので、より良い釣果が期待できる。
保管中もスプールに巻かれた釣り糸を紫外線などの外部刺激から守ってくれるので、安心して釣り糸を巻いたままスプールを保管でき、繰り返し同じ釣り糸を使用できる。
【図面の簡単な説明】
【図１】釣り用リールの側面図である。
【図２】図１に本考案のリールカバーを被覆させた状態を示した側面図である
。
【図３】本考案リールカバーの平面図である。
【図４】本考案のリールカバーの底面図である。
【図５】本考案のリールカバーの側面図である。
【図６】マジックテープ部を開閉した状態の側面図である。
【符号の説明】Ａ　リールシート
Ｂ　スプール軸
Ｃ　ベール
Ｄ　回転枠組
Ｅ　スプール
Ｆ　釣り糸
Ｇ　ハンドル
Ｈ　本考案のリールカバー
Ｉ　本考案リールカバーの挿入口
Ｊ　開閉口
Ｋ　マジックテープ
【図１】
0003098574.tif 000003
【図２】
0003098574.tif 000004
【図３】
0003098574.tif 000005
【図４】
0003098574.tif 000006
【図５】
0003098574.tif 000007
【図６】
0003098574.tif 000008
【手続補正書】
【提出日】平成15年7月28日(2003.7.28)
【手続補正１】
【補正対象書類名】明細書
【補正対象項目名】全文
【補正方法】変更
【補正の内容】
【考案の詳細な説明】
【実用新案登録請求の範囲】
【請求項１】挿入口１と開閉口Ｊを有する筒状で、内部が空洞である釣り用リールのスプール部を被覆する弾性かつ撥水性を有する合成樹脂、発泡樹脂で出来たリールカバー。
【請求項２】釣り用リールのスプール部を面ファスナーで留めて固定する請求項１のリールカバー
【考案の詳細な説明】
【０００１】
【考案の属する技術分野】
本考案は、釣り用リールのスプール部を被覆する釣り用リールのスプール部と、スプールに巻かれた釣り糸のプロテクターである。海水による塩害や、移動時又は保管時の衝撃、紫外線からデリケートなスプールと釣り糸を守る。
【０００２】
【従来の技術】
釣り用リールは塩害に弱く、海水が入り込んでしまうとリールの回転などに不具合が生じる。海水はスプールＥと回転枠組みＤから入りやすく、入り込んでしった海水より、内部部品が錆びるなどの塩害がおこる。また、リールを裸のまま持ち運びすると、破損の原因となりやすい。
【０００３】
釣り糸は釣果を大きく左右する存在である。しかし、船や自動車や徒歩などでの移動時や保管時の紫外線やぶつかり合いなどの外部刺激は、釣り糸を傷めてしまう要因になっていた。また、スプールに巻かれた釣り糸は、釣りをするたびに新しいものと交換することは少なく、何度も使用するものであるので大切にする必要があった。
【０００４】
【考案が解決しようとする課題】
海での釣りにおいて、船での移動時に釣り用リールに海水がかぶるのは避けられない。特に、ＤとＥの間から海水が内部にまで入り込むおそれがあるので、それを防止し、かつ着脱容易であることを目的とした。
【０００５】
また、釣り用リールのスプール部は、とてもデリケートな部分であるので、移動時や保管時におこりうる衝撃から守ろうとするものである。
【０００６】
釣果を大きく左右する釣り糸は、スプールに巻かれた状態で何度も使用、保管されるものであるので、それを衝撃や紫外線などの外部刺激から保護しようとするものである。
【０００７】
【問題を解決するための手段】
上記目的を達成するために、本考案のリールカバーは、弾性かつ撥水性を有する合成樹脂で出来ており、移動時の衝撃から、また海水をはじいてスプールやそれに巻かれた釣り糸を保護する。開閉口Ｋに面ファスナーＫを１箇所から数箇所に装備しているため、釣り糸を装着したまま、本考案のカバーを容易に着脱できると同時に固定でき、本考案のリールカバーとスプールカバーとの密着性を高めることが出来る。
【０００８】
【考案の実施の形態】
本考案のリールカバーを図面について説明すると、挿入口１からＤを含めたスプール全体Ｅまで、開閉口Ｊを調整しながら被覆させ、スプールの大きさや釣り糸を巻いた状態の大きさに合わせて、開閉口Ｊを両面ファスナーＫで固定する構造とした。
【０００９】
【考案の効果】
本考案のリールカバーは、海での釣りにおいて避けられない海水によるリール本体の塩害を、海水がかぶってしまうことから守ってくれるため、リールのメンテナンスが楽になり、快適に長い年月にわたって使用することが可能になる。
また、移動中に起こりうる、ぶつかり合いなどの衝撃から、スプールやスプールに巻かれた釣り糸を守ってくれるので、より良い釣果が期待できる。
保管中もスプールに巻かれた釣り糸を紫外線などの外部刺激から守ってくれるので、安心して釣り糸を巻いたままスプールを保管でき、繰り返し同じ釣り糸を使用できる。
【図面の簡単な説明】
【図１】釣り用リールの側面図である。
【図２】図１に本考案のリールカバーを被覆させた状態を示した側面図である。
【図３】本考案リールカバーの平面図である。
【図４】本考案のリールカバーの底面図である。
【図５】本考案のリールカバーの側面図である。
【図６】両面ファスナー部を開閉した状態の側面図である。
【符号の説明】Ａ　リールシート
Ｂ　スプール軸
Ｃ　ベール
Ｄ　回転枠組
Ｅ　スプール
Ｆ　釣り糸
Ｇ　ハンドル
Ｈ　本考案のリールカバー
Ｉ　本考案のリールカバーの挿入口
Ｊ　開閉口
Ｋ　両面ファスナー